【手続補正書】
【提出日】平成16年3月25日(2004.3.25)
【手続補正１】
【補正対象書類名】明細書
【補正対象項目名】特許請求の範囲
【補正方法】変更
【補正の内容】
【特許請求の範囲】
【請求項１】
情報書込み可能な記録媒体に対して情報の記録を行う情報記録装置であって、
前記記録媒体に対して情報書込みの終点及び始点部分でデータ連続性を維持する書込みを行う書込み手段と、
前記記録媒体に対する情報の書込み中にその書込みの一時停止を指示する停止指示手段と、
前記記録媒体に対する情報の書込みの再開を指示する再開指示手段と、
前記停止指示手段による一時停止の指示に基づき前記書込み手段による書込みを一時停止させ、前記再開指示手段による再開の指示に基づき前記書込み手段による書込みを再開させる書込み停止・再開制御手段と、
を備える情報記録装置。
【請求項２】
前記書込み停止・再開制御手段により前記書込み手段による書込みを一時停止させる際の状態を不揮発性メモリに保存させる保存手段を備える請求項１記載の情報記録装置。
【請求項３】
前記書込み手段による書込みの一時停止中に割込み処理を指示する割込み指示手段と、
この割込み指示手段による割込み指示に基づき割込み処理を行う割込み処理手段と、
を備える請求項２記載の情報記録装置。
【請求項４】
前記割込み処理手段は、多重化されて選択的に動作する複数の制御系ＬＳＩにより構成されている請求項３記載の情報記録装置。
【請求項５】
電源として電池を備える請求項１ないし４の何れか一に記載の情報記録装置。
【請求項６】
前記停止指示手段及び前記再開指示手段は、操作部に設けられてユーザにより操作されるキーボタンである請求項１ないし５の何れか一に記載の情報記録装置。
【請求項７】
前記電池の残容量を検知する検知手段を備え、前記停止指示手段は前記検知手段により検知された前記電池の残容量が低下したときに発せられる一時停止信号を用い、前記再開指示手段は前記検知手段により検知される前記電池の残容量が回復したときに発せられる回復信号を用いる請求項５記載の情報記録装置。
【請求項８】
情報書込み可能な記録媒体に対して情報の記録を行う情報記録装置と、前記記録媒体に対する書込み処理を行う際に前記情報記録装置に対して書込み情報を転送するホストとを備える情報記録システムであって、
前記記録媒体に対して情報書込みの終点及び始点部分でデータ連続性を維持する書込みを行う書込み手段と、
前記記録媒体に対する情報の書込み中にその書込みの一時停止を指示する停止指示手段と、
前記記録媒体に対する情報の書込みの再開を指示する再開指示手段と、
前記停止指示手段による一時停止の指示に基づき前記書込み手段による書込みを一時停止させ、前記再開指示手段による再開の指示に基づき前記書込み手段による書込みを再開させる書込み停止・再開制御手段と、
を備える情報記録システム。
【請求項９】
前記書込み停止・再開制御手段により前記書込み手段による書込みを一時停止させる際の状態を不揮発性メモリに保存させる保存手段を備える請求項８記載の情報記録システム。
【請求項１０】
前記書込み手段による書込みの一時停止中に割込み処理を指示する割込み指示手段と、
この割込み指示手段による割込み指示に基づき割込み処理を行う割込み処理手段と、
を備える請求項９記載の情報記録システム。
【請求項１１】
前記停止指示手段及び前記再開指示手段は、前記ホストの操作部に設けられてユーザにより操作されるキーボタンである請求項８ないし１０の何れか一に記載の情報記録システム。
【請求項１２】
マイクロコンピュータを備えて情報書込み可能な記録媒体に対して情報の記録を行う情報記録装置で用いられるプログラムを記憶して前記マイクロコンピュータで読取可能な情報記憶媒体であって、
前記記録媒体に対して情報書込みの終点及び始点部分でデータ連続性を維持する書込みを行わせる書込み機能と、
前記記録媒体に対する情報の書込み中にその書込みの一時停止を指示させる停止指示機能と、
前記記録媒体に対する情報の書込みの再開を指示させる再開指示機能と、
前記停止指示機能による一時停止の指示に基づき前記書込み機能による書込みを一時停止させ、前記再開指示機能による再開の指示に基づき前記書込み機能による書込みを再開させる書込み停止・再開制御機能と、
を前記マイクロコンピュータに実行させるためのプログラムが記憶されている情報記憶媒体。
【請求項１３】
前記書込み停止・再開制御機能により前記書込み機能による書込みを一時停止させる際の状態を不揮発性メモリに保存させる保存機能を前記マイクロコンピュータに実行させるためのプログラムが記憶されている請求項１２記載の情報記憶媒体。
【請求項１４】
前記書込み機能による書込みの一時停止中に割込み処理を指示させる割込み指示機能と、
この割込み指示機能による割込み指示に基づき割込み処理を行わせる割込み処理機能と、
を前記マイクロコンピュータに実行させるためのプログラムが記憶されている請求項１３記載の情報記憶媒体。
【請求項１５】
電源として設けられた電池の残容量を検知させる検知機能を前記マイクロコンピュータに実行させるためのプログラムが記憶され、前記停止指示機能は前記検知機能により検知された前記電池の残容量が低下したときに発せられる一時停止信号を用い、前記再開指示機能は前記検知機能により検知される前記電池の残容量が回復したときに発せられる回復信号を用いるようにした請求項１２記載の情報記記憶媒体。
【請求項１６】
情報書込み可能な記録媒体に対して情報の記録を行う情報記録装置と、前記記録媒体に対する書込み処理を行う際に前記情報記録装置に対して書込み情報を転送するホストとを備える情報記録システムで用いられるプログラムを記憶して前記ホストで読取可能な情報記憶媒体であって、
前記記録媒体に対して情報書込みの終点及び始点部分でデータ連続性を維持する書込みを行わせる書込み機能と、
前記記録媒体に対する情報の書込み中にその書込みの一時停止を指示させる停止指示機能と、
前記記録媒体に対する情報の書込みの再開を指示させる再開指示機能と、
前記停止指示機能による一時停止の指示に基づき前記書込み機能による書込みを一時停止させ、前記再開指示機能による再開の指示に基づき前記書込み機能による書込みを再開させる書込み停止・再開制御機能と、
を前記ホストに実行させるためのプログラムが記憶されている情報記憶媒体。
【請求項１７】
前記書込み停止・再開制御機能により前記書込み機能による書込みを一時停止させる際の状態を不揮発性メモリに保存させる保存機能を前記ホストに実行させるためのプログラムが記憶されている請求項１６記載の情報記憶媒体。
【請求項１８】
前記書込み機能による書込みの一時停止中に割込み処理を指示させる割込み指示機能と、
この割込み指示機能による割込み指示に基づき割込み処理を行わせる割込み処理機能と、
を前記ホストに実行させるためのプログラムが記憶されている請求項１６記載の情報記憶媒体。
【請求項１９】
記録媒体に記録すべきデータを出力するホストと、
このホストから出力されたデータを受信し、バッファメモリに蓄積した後、当該データをエンコーダによりエンコードしてから前記記録媒体にデータを書き込むデータ記録装置と、
から構成される情報記録システムであって、
前記バッファメモリと前記エンコーダは電気的に接続されており、
前記エンコーダは、
前記記録媒体へのデータ記録中における、前記ホストに対する記録動作の一時停止の指示後、前記データ記録装置で前記エンコード動作を中断させることで書込みデータの出力を停止させて書込みの一時停止を行い、
前記ホストに対する記録動作の再開の指示後、前記データ記録装置で前記記録媒体に対して情報書き込みの終点及び始点部分でデータ連続性を維持するように前記エンコード途中のデータを前記記録媒体に書き込むデータとして出力することを特徴とする情報記録システム。